(57)【特許請求の範囲】
【請求項１】
金融取引を行うことが可能な自動取引装置であって、
金融取引に必要な情報を画面に表示して操作可能な顧客操作部と、
紙幣による入金を行う取引の際に、入金する紙幣の枚数が前記顧客操作部により入力されると、該入力された枚数が投入限度枚数を超えるか否かを判定する判定部と、
前記判定部によって、前記入力された枚数が前記投入限度枚数を超えると判定された場合に、前記投入限度枚数に基づいて、紙幣投入回数と各回数における紙幣投入枚数を算出する算出部と、
前記顧客操作部の前記画面に前記各回の前記紙幣投入枚数を表示して入金を行う取引の操作を案内する制御部と、
を有することを特徴とする自動取引装置。
【請求項２】
前記算出部は、
高額の紙幣を優先して、金種毎に前記紙幣投入枚数を算出し、
前記制御部は、
前記顧客操作部の前記画面に、前記各回の前記金種毎の前記紙幣投入枚数を表示して入金を行う取引の操作を案内することを特徴とする請求項１に記載の自動取引装置。
【請求項３】
自動取引装置と上位ホストとが相互に通信可能な通信回線により接続された自動取引システムであって、
前記自動取引装置は、
金融取引に必要な情報を画面に表示して操作可能な顧客操作部と、
紙幣による入金を行う取引の際に、入金する紙幣の枚数が前記顧客操作部により入力されると、該入力された枚数が投入限度枚数を超えるか否かを判定する判定部と、
前記判定部によって、前記入力された枚数が前記投入限度枚数を超えると判定された場合に、前記投入限度枚数に基づいて、紙幣投入回数と各回数における紙幣投入枚数を算出する算出部と、
前記顧客操作部の前記画面に前記各回の前記紙幣投入枚数を表示して入金を行う取引の操作を案内する制御部と、
前記顧客操作部の前記画面の表示内容に応じて、前記紙幣が投入された場合に、前記各回毎の投入限度枚数に基づいた金額情報を含む取引継続の入金電文と、前記紙幣が最終に投入された場合に、前記最終に投入した金額情報を含む取引完了の入金電文と、を前記上位ホストに送信し、前記上位ホストからの応答電文を受信する自動機通信部と、を有し、
前記上位ホストは、
前記取引継続及び前記取引完了の入金電文を受信すると、前記入金電文に対する確認応答電文を前記自動取引装置へ返信するホスト通信部を有することを特徴とする自動取引システム。
【請求項４】
金融取引を行うことが可能な自動取引装置を用いた自動取引方法であって、
前記自動取引装置が有する顧客操作部の画面に金融取引に必要な情報を表示する第１処理と、
紙幣による入金を行う取引の際に、入金する紙幣の枚数が前記顧客操作部により入力されると、該入力された枚数が投入限度枚数を超えるか否かを前記自動取引装置が有する判定部が判定する第２処理と、
前記判定部によって、前記入力された枚数が前記投入限度枚数を超えると判定された場合に、前記自動取引装置が有する算出部が前記投入限度枚数に基づいて、紙幣投入回数と各回数における紙幣投入枚数を算出する第３処理と、
前記自動取引装置が有する制御部が前記顧客操作部の前記画面に前記各回の前記紙幣投入枚数を表示して入金を行う取引の操作を案内する第４処理と、
を有することを特徴とする自動取引方法。
【発明の詳細な説明】
【技術分野】
【０００１】
本発明は、自動取引装置、自動取引システム及び自動取引方法に関するものである。
【背景技術】
【０００２】
金融取引を行う装置として、ＡＴＭ（Automatic Teller Machine）等の自動取引装置がある。自動取引装置、自動取引システム及び自動取引方法に関し、下記特許文献１、２等がある。
【０００３】
特許文献１には、同一の利用者が一度にまとめて行える取引を複数の取引に分け、各取引を連続して行っている場合、分けて行われている複数の取引が一度にまとめて行える取引であることを利用者に通知する案内を出力する自動取引装置が提案されている。これにより、利用者が自動取引装置で一度にまとめて行える取引を複数の取引に分けて連続して行うのを抑止することができる。すなわち、１人の利用者による自動取引装置の占有時間を短縮でき、利用者に対するサービスの低下や、実質的な稼働率の低下が抑えられる。
【０００４】
又、特許文献２には、同一支払取引内での支払金額を、複数組に分けて複数回数入力できる取引情報を画面に表示させ、入力された支払金額、支払の組数、各組の現金枚数を含む情報を保存し、保存情報を基に、支払の合計金額、合計枚数、各金種枚数が装置の支払限度額を超えているか否かを判断し、限度額を超えていない場合は、処理を続行する自動取引装置が提案されている。これにより、顧客は、同一の支払取引内で複数回の金額入力を行い、引き下ろしたい何組かの金額をまとめて指定することが可能になり、手間と時間が節約できる。
【先行技術文献】
【特許文献】
【０００５】
【特許文献１】特開２００９−２６２６８号公報
【特許文献２】特開２００１−５２２４０号公報
【発明の概要】
【発明が解決しようとする課題】
【０００６】
特許文献１及び２で提案されている自動取引装置によれば、複数の取引をまとめて行うことが可能になる。
【０００７】
しかしながら、特許文献１及び２においてまとめて行うことが可能な取引は、取引の限度額を超えない範囲に限られている。
【０００８】
例えば、住宅ローンの繰上返済等１回の取引金額の大きい取引は、一般に、銀行窓口、又はインターネットバンキングを利用して行われている。しかし、銀行窓口での取引は、窓口営業の時間帯に限られているため、住宅ローンの繰上返済等の高額の取引を行うためには、平日の窓口営業の時間帯に取引銀行へ出向く必要があり、利用者にとっては不便である。又、インターネットバンキングによる住宅ローンの繰上返済は、手数料が無料であるが、インターネットの脆弱性、不正アクセスの脅威等から、銀行側の意図に反して、思うように普及していない。
【０００９】
これに対し、銀行窓口の取引やインターネットバンキング等に比べ、時間的な制約がなく、比較的安全な自動取引装置を利用して、住宅ローンの繰上返済をしたいという要望がある。
【００１０】
ところが、自動取引装置による取引では、取引が成立しなかった場合に利用者が投入した紙幣を返却するという観点等から、取引が成立するまでの間、投入した紙幣を一時保留する一時保留部の容量を入金取引の限度としている。この容量は紙幣投入出口から１回に投入可能な紙幣枚数とほぼ同量である。このようにハードウェアの制限を超える額の返済を１回の取引で行うことができない。従って、自動取引装置を利用して、自動取引装置の取引の限度額を超えた額の住宅ローンの繰上返済をする場合、複数回の取引をする必要があり手続きが煩雑である。更に、１回の取引毎に手数料が発生する場合には、取引回数分の手数料がかかってしまう。
【００１１】
そこで、本発明の目的は、現状の自動取引装置のハードウェアを変更することなく、自動取引装置の１回の取引限度額を超えた額の住宅ローンの繰上返済を１回の取引で可能とする自動取引装置、自動取引システム、及び自動取引方法を提供することを目的とする。
【課題を解決するための手段】
【００１２】
本発明の第１側面の自動取引装置は、金融取引を行うことが可能な自動取引装置であって、金融取引に必要な情報を画面に表示して操作可能な顧客操作部と、紙幣による入金を行う取引の際に、入金する紙幣の枚数が前記顧客操作により入力されると、該入力された枚数が投入限度枚数を超えるか否かを判定する判定部と、前記判定部によって、前記入力された枚数が前記投入限度枚数を超えると判定された場合に、前記投入限度枚数に基づいて、紙幣投入回数と各回数における紙幣投入枚数を算出する算出部と、前記顧客操作部の前記画面に前記各回の前記紙幣投入枚数を表示して入金を行う取引の操作を案内する制御部と、を有することを特徴とする。
【００１３】
第２側面の自動取引システムは、前記自動取引装置と上位ホストとが相互に通信可能な通信回線により接続された自動取引システムであって、前記自動取引装置は、前記顧客操作部と、前記判定部と、前記算出部と、前記制御部と、に加え、更に、前記顧客操作部の前記画面の表示内容に応じて、前記紙幣が投入された場合に、前記各回毎の投入限度枚数に基づいた金額情報を含む取引継続の入金電文と、前記紙幣が最終に投入された場合に、前記最終に投入した金額情報を含む取引完了の入金電文と、を前記上位ホストに送信し、前記上位ホストからの応答電文を受信する自動機通信部と、を有し、前記上位ホストは、前記取引継続及び前記取引完了の入金電文を受信すると、前記入金電文に対する確認応答電文を前記自動取引装置へ返信するホスト通信部を有することを特徴とする。
【００１４】
第３側面の自動取引方法は、金融取引を行うことが可能な自動取引装置を用いた自動取引方法であって、前記自動取引装置が有する顧客操作部の画面に金融取引に必要な情報を表示する第１処理と、紙幣による入金を行う取引の際に、入金する紙幣の枚数が前記顧客操作により入力されると、該入力された枚数が投入限度枚数を超えるか否かを前記自動取引装置が有する判定部が判定する第２処理と、前記判定部によって、前記入力された枚数が前記投入限度枚数を超えると判定された場合に、前記自動取引装置が有する算出部が前記投入限度枚数に基づいて、紙幣投入回数と各回数における紙幣投入枚数を算出する第３処理と、前記自動取引装置が有する制御部が前記顧客操作部の前記画面に前記各回の前記紙幣投入枚数を表示して入金を行う取引の操作を案内する第４処理と、を有することを特徴とする。
【発明の効果】
【００１５】
本発明の自動取引装置は、金融取引を行うことが可能な自動取引装置であって、金融取引に必要な情報を画面に表示して操作可能な顧客操作部と、紙幣による入金を行う取引の際に、入金する紙幣の枚数が投入限度枚数を超えるか否かを判定する判定部と、前記判定部によって入金する前記紙幣の枚数が前記投入限度枚数を超えると判定された場合に、前記投入限度枚数に基づいて、紙幣投入回数と各回数における紙幣投入枚数を算出する算出部と、前記顧客操作部の前記画面に前記各回の前記紙幣投入枚数を表示して入金を行う取引の操作を案内する制御部と、を有している。これにより、本発明の自動取引装置によれば、現状の自動取引装置のハードウェアを変更することなく、入金限度枚数を超えた枚数の紙幣の入金取引が１回の取引で可能となる。
【図面の簡単な説明】
【００１６】
【図１】自動取引装置の外観の一例を示す図である。
【図２】自動取引システムの一例を示す図である。
【図３】繰上返済の画面表示例（その１）を示す図である。
【図４】本人認証の画面表示例を示す図である。
【図５】繰上返済の画面表示例（その２）を示す図である。
【図６】繰上返済の画面表示例（その３）を示す図である。
【図７】取引終了の画面表示例を示す図である。
【図８】自動取引装置に投入された紙幣の移動を説明する図である。
【図９】従来の住宅ローン返済処理を示すシーケンスチャートである。
【図１０】本発明の実施形態の住宅ローン返済処理を示すシーケンスチャートである。
【図１１】本発明の実施形態の繰上返済の処理を示すフローチャート（その１）である。
【図１２】本発明の実施形態の繰上返済の処理を示すフローチャート（その２）である。
【図１３】本発明の実施形態の繰上返済の処理を示すフローチャート（その３）である。
【図１４】本発明の実施形態の繰上返済の処理を示すフローチャート（その４）である。
【図１５】本発明の実施形態の繰上返済の処理を示すフローチャート（その５）である。
【図１６】本発明の実施形態の繰上返済の処理を示すフローチャート（その６）である。
【発明を実施するための形態】
【００１７】
＜自動取引装置の全体構成の一例＞
以下、図面を参照して、実施形態を説明する。図１は、自動取引装置１の外観の一例を示している。自動取引装置１の外観は、図１の例には限定されない。自動取引装置１は、金融取引を行う装置として、例えば銀行や店舗等に設置されている。
【００１８】
自動取引装置１は、通帳挿入部２と、カード挿入部３と、硬貨投入出口４と、紙幣投入出口５と、顧客操作部６と、を備えている。通帳挿入部２は、通帳を挿入するための挿入口である。カード挿入部３は、キャッシュカードやクレジットカード等のカード媒体を挿入および返却するための部位である。以下、実施形態では、カード媒体を単にカードと称し、当該カードはキャッシュカードであるものとして説明する。
【００１９】
硬貨投入出口４は、硬貨の投入および取り出しを行うための部位である。紙幣投入出口５は、紙幣の投入および取り出しを行うための部位である。顧客操作部６は、自動取引装置１を用いて取引を行う者（以下、利用者と称する）が、金融取引のための所定の操作を行うための部位であり、例えば、タッチパネルディスプレイ（以下「タッチパネル」という。）等で構成される。以下、顧客操作部６はタッチパネル６として説明する。
【００２０】
顧客操作部としてのタッチパネル６は、金融取引に必要な情報を画面に表示し、利用者が金融取引を行うために使用される。タッチパネル６には所定の情報が表示され、利用者は、表示された情報に基づいて、タッチパネル６をタッチ（押下）することで、金融取引の操作を行う。
＜自動取引システムの一例＞
図２は、自動取引システム１０の一例を示している。自動取引システム１０では、複数の自動取引装置１とホストコンピュータ（以下「ホスト」又は「上位ホスト」という。）１２と、がネットワーク１１を介して接続されている。各自動取引装置１は、ネットワーク１１を介して、ホスト１２と通信することができる。なお、自動取引システム１０の構成は、図２の例には限定されない。
【００２１】
ホスト１２は、ホスト制御部１３と口座元帳記憶部１４とホスト通信部１５とを有している。ホスト制御部１３は、ホスト１２の全体の制御を行う。口座元帳記憶部１４は口座元帳を記憶する。
【００２２】
口座元帳は、例えば、利用者の口座を識別する口座情報（店番号、口座番号、科目）に対応付けて、暗証番号や口座残高等の情報を記憶する。ホスト通信部１５は、ホスト１２がネットワーク１１を介して自動取引装置１と通信する通信部である。住宅ローンの情報は、口座元帳に記憶されているものとする。尚、住宅ローンの情報の記憶領域は、口座元帳に限定されず、口座情報に紐付けされた他の記憶領域であっても良い。
【００２３】
自動取引装置１は、上述したタッチパネル６と硬貨ユニット２１と紙幣ユニット２２とカード／レシートユニット２３と通帳ユニット２４と自動機制御部３０とを備える。自動取引装置１は、図２の例には限定されない。
【００２４】
硬貨ユニット２１は、金種別に硬貨を収納する硬貨スタッカや硬貨の鑑別を行う鑑別部などで構成されており、硬貨投入出口４の開閉や硬貨の出入金など硬貨に関連する処理を行う。紙幣ユニット２２は、金種別に紙幣を収納する紙幣スタッカや紙幣の鑑別を行う鑑別部などで構成されており、紙幣投入出口５の開閉や紙幣の出入金など紙幣に関連する処理を行う。
【００２５】
カード／レシートユニット２３は、磁気ストライプリーダライタ、印字プリンタなどで構成されており、カード挿入部３から挿入されたカードの磁気ストライプ（ＭＳ：Magnetic Stripe）に対する読み書きや、ご利用控えなどの印刷を行う。
【００２６】
通帳ユニット２４は、磁気ストライプリーダライタや印字プリンタなどで構成されており、通帳挿入部２から挿入された通帳や帳票などの磁気ストライプに対する読み書きや通帳の記帳などを行う。
【００２７】
自動機制御部３０は、検出部３１と判定部３２と算出部３３と制御部３４と自動機通信部３５とを備える。検出部３１は、タッチパネル６のタッチ（押下）可能な領域のうち、タッチされたキーの座標を検出する。
【００２８】
判定部３２は、紙幣投入出口５から紙幣による入金を行う際に、入金する紙幣の枚数が投入限度枚数を超えるか否かを判定する部位である。ここで、投入限度枚数は、入金された紙幣を取引が許可されるまでの間、一時的に保留しておく一時保留部の容量により決められている枚数であり、例えば、２００枚である。投入された紙幣の自動取引装置１内での移動については、後述する。
【００２９】
算出部３３は、判定部３２によって入金する紙幣の枚数が投入限度枚数を超えると判定された場合に、投入限度枚数に基づいて、紙幣投入回数と各回数における紙幣投入枚数を算出する部位である。例えば、入金する紙幣の枚数を５００枚、投入限度枚数を２００枚とした場合、算出部３３は、入金する紙幣の枚数５００を投入限度枚数２００で割り、商２と、余り１００を算出する。この算出した商２と、余り１００とから、紙幣投入回数３と、１回目の紙幣投入枚数２００枚、２回目の紙幣投入枚数２００枚、及び３回目の紙幣投入枚数１００枚を算出する。１回目の紙幣投入枚数２００枚、２回目の紙幣投入枚数２００枚、及び３回目の紙幣投入枚数１００枚の合計枚数は、入金する紙幣の枚数５００枚と等しい枚数になる。
【００３０】
制御部３４は、算出部３３が算出した各回の紙幣投入枚数を顧客操作部６の画面に表示して、入金を行う取引の操作を案内する部位である。
【００３１】
自動機通信部３５はネットワーク１１を介してホスト１２のホスト通信部１５と通信を行う。これにより、自動取引装置１とホスト１２との通信が可能になる。
【００３２】
＜各種画面例＞
次に、タッチパネル６に表示される各種画面について住宅ローン返済を例に説明する。図３（ａ）〜図３（ｄ）は、繰上返済の画面表示例（その１）を示している。図３（ａ）は、取引種別選択画面の表示例である。図３（ａ）に示されたタッチパネル６上には、「支払」、「預入」、「残高照会」、「通帳記入」、「振込」、「振替」、「定期」、「住宅ローン返済」の選択可能な取引種別が表示されている。図３（ａ）の表示画面中の「住宅ローン返済」がタッチ（選択）されると、図３（ｂ）に示された住宅ローン取引選択画面へ移行する。
【００３３】
図３（ｂ）は、住宅ローン取引選択画面の表示例である。図３（ｂ）に示されたタッチパネル６上には、「ご希望のお取引をお選び下さい」という操作ガイドの文字と、「繰上返済」、「住宅ローン残高照会」、「住宅ローン返済」のタッチ（選択）可能なキーが表示されている。図３（ｂ）の表示画面中の「繰上返済」がタッチ（選択）されると、図３（ｃ）に示された媒体挿入画面へ移行する。図３（ｃ）は、カード挿入画面の表示例であり、「カードを挿入して下さい」という操作ガイドの文字が表示されている。図３（ｃ）に示された媒体挿入画面が表示されているときに、カードが挿入されると、タッチパネル６上に、例えば、図４（ａ）に示されたような暗証入力の画面が表示される。図３（ｄ）は、従来の住宅ローン取引選択画面の表示例であり、従来の動作説明時に後述する。
【００３４】
図４（ａ）及び図４（ｂ）は、本人認証の画面表示例を示している。図４（ａ）は、暗
証番号入力画面の表示例である。図４（ａ）には、「暗証番号（４桁）を押して下さい」
という操作ガイドの文字と、４桁の暗証番号表示領域と、「０」〜「９」のテンキーが表
示されている。図４（ａ）の画面表示の時に４桁の暗証番号が入力されると、図４（ｂ）に示されたコンピュータ照会中画面へ移行する。図４（ｂ）には、「しばらくお待ち下さい」という操作ガイドの文字と、処理の進行状況を示す矢印が表示される。矢印の表示中に、自動取引装置１からホスト１２へ送信する電文は、利用者の本人認証を兼ねた住宅ローン残高照会電文である。電文内容は、電文種別が住宅ローン残高照会、電文のデータとしては、挿入されたカードのＭＳに記録された口座情報と、利用者が入力した暗証番号等により構成される。
【００３５】
ホスト１２は、当該電文を受信すると、電文の口座情報に基づき口座元帳を検索し、該
当する口座情報に対応する暗証番号と電文の口座番号とを照合し、一致の場合、口座情報
に対応付けて記憶する住宅ローン残高を自動取引装置１に返信する。
【００３６】
尚、住宅ローンの残高は、口座元帳とは別に、例えば、口座情報に対応付けて記憶して
も良い。
【００３７】
タッチパネル６上に、図４（ｂ）に示されたようなコンピュータ画面が表示されている間、自動取引装置１からホスト１２に対し、利用者の認証処理と住宅ローン残高の取得処理が行われており、処理が終了すると、例えば、図５（ａ）に示されたような繰上返済金額入金画面へ移行する。利用者の認証処理と住宅ローン残高の取得処理の内容については後述する。
【００３８】
図５（ａ）〜図５（ｃ）は、繰上返済の画面表示例（その２）を示している。図５（ａ）は、繰上返済金額入力画面の表示例である。図５（ａ）には、「繰上返済する金額を押して下さい」という操作ガイドの文字と、住宅ローン残高の表示領域及びテンキーで入力する繰上返済金額の表示領域、「０」〜「９」のテンキー、及び「訂正」キー等の選択可能な操作キーが表示されている。図５（ｂ）は、図５（ａ）において入力した繰上返済金額再入力画面の表示例であり、図５（ａ）の「繰上返済する金額を押して下さい」という操作ガイドの文字に代えて、「もう一度、繰上返済する金額を押して下さい」という操作ガイドの文字が表示されている。
【００３９】
図５（ａ）又は図５（ｂ）の画面表示の時に、繰上返済金額が入力されると、図５（ｃ）の画面へ移行する。図５（ｃ）は、繰上返済金額確認画面（１）の表示例である。図５（ｃ）には、『繰上返済金額が正しければ「確認」を  違っていれば「訂正」を押して下さい』という操作ガイドの文字と、住宅ローン残高の表示領域及びテンキーで入力する繰上返済金額の表示領域、「訂正」キー及び「確認」キーが表示されている。図５（ｃ）に示された繰上返済金額の表示領域には、例として、1,000,000円が表示されている。利用者が繰上返済金額を正しいと判断した時は、「確認」キーにタッチし、違っていると判断した時は、「訂正」キーにタッチする。図５（ｃ）において、「確認」キーがタッチされると、図６（ａ）の表示画面へ移行し、「訂正」キーがタッチされると、図５（ｂ）の繰上返済金額再入力画面へ戻る。
【００４０】
図６（ａ）〜図６（ｃ）は、繰上返済時の画面の表示例（その３）を示している。図６（ａ）は、繰上返済金額確認画面の表示例であり、図６（ａ）には、住宅ローンの内容と、図５（ｃ）で「確認」キーをタッチする直前の住宅ローン残高と繰上返済金額とが表示されている。ここで、住宅ローンの内容としては、例えば、ＡＢ銀行名が付されたＡＢ銀行住宅ローンといったローン商品名と、例えば、平成３０年０３月３１日といったご融資期限と、例えば、０．３３３％といった利率、例えば、元利均等といったご返済方法などが表示されている。又、図６（ａ）には、選択可能な「取消」キー、及び「確認」キーの操作キーが表示されている。図６（ａ）の画面表示の時に、「確認」キーがタッチされると、図６（ｂ）に示された現金投入画面へ移行する。
【００４１】
図６（ｂ）は、現金投入画面の表示例である。図６（ｂ）には、紙幣投入枚数とその回数の例として、「万券２００枚×６回、万券５０枚×１回」の表示と、「紙幣を投入して下さい」という操作ガイドの文字と、繰上返済金額、累積入金金額、及び入金金額の表示領域が表示され、更に、選択可能な「取消」キーが表示されている。ここで、例えば、繰上返済金額を１２５０万円とすると、１万円札２００枚の紙幣を１回投入した時点での累積入金金額及び入金金額は、２００万円である。１万円札２００枚の紙幣を２回投入した時点での累積入金金額は４００万円であり、入金金額は２００万円となる。以下、同様であり、１万円札２００枚の紙幣が６回投入された時点での累積入金金額は１２００万円であり、入金金額は２００万円となる。更に、１万円札５０枚の紙幣が７回目に投入された時点での累積入金金額は１２５０万円であり、入金金額は５０万円となり、この時点で、累積入金金額が繰上返済金額と同額の１２５０万円になる。
【００４２】
図５（ｃ）の画面から図６（ａ）の画面へ遷移する間に、ホスト１２に対して「住宅ローン繰上返済電文」を送信する。ここでの電文内容は、電文種別が住宅ローン返済、電文のデータとしては、挿入されたカードのＭＳに記録された口座情報と、繰上返済金額になる。ホスト１２は、例えば、口座情報に対応する住宅ローンが存在し、繰上返済金額が住宅ローンの金額内であることを確認した上で、「住宅ローン繰上返済許可電文」を返信する。そして、住宅ローン繰上返済許可電文を受信すると、図６（ａ）の画面を表示する。図６（ａ）に表示された「ローン商品名」、「期限」、「利率」の情報は、ホスト１２より受信する。
【００４３】
図６（ｃ）は、金額確認画面の表示例であり、住宅ローン残高、繰上返済金額、及び繰上返済後の住宅ローン残高の表示領域と、「確認」キーとを有している。図６（ｃ）に示されたように、繰上返済後の住宅ローン残高０円の画面表示の時に、「確認」キーがタッチされると、繰上返済の取引は終了し、例えば、図７（ａ）に示されたようなカード返却画面へ移行する。
【００４４】
図７（ａ）及び図７（ｂ）は、取引終了画面の表示例を示している。図７（ａ）は、カード返却画面の表示例であり、「カードをお受け取り下さい」という操作ガイドの文字が表示されている。図７（ａ）の画面表示中に、カードが抜き取られると、図７（ｂ）に示された取引終了画面へ移行する。
【００４５】
図７（ｂ）は、取引終了画面の表示例であり、取引の終了を示す「ありがとうございました」という文字が表示されている。
【００４６】
以上説明した画面の表示例は、一例に過ぎず、タッチパネル６に表示される画面は、図３（ａ）〜・・・〜図７（ｂ）に限定されない。
【００４７】
（実施例の動作）
本発明の実施例の動作について、（Ｉ）従来の住宅ローン返済処理と、（II）本発明の住宅ローン返済処理の概略と、（III）本発明の住宅ローン返済処理の詳細と、に分けて説明する。
【００４８】
（Ｉ）  従来の住宅ローン返済処理
先ず、自動取引装置に投入された紙幣の移動を説明する図８に基づいて、投入された紙幣が自動取引装置内をどのように移動するかを説明する。
【００４９】
図８の紙幣投入出口５に、紙幣が投入されると、矢印に沿って紙幣は鑑別部４１へ搬送される。鑑別部４１は、紙幣の真偽や金種、一部の欠損等で出金等に使えない紙幣（損券）等を鑑別する部位である。鑑別部４１を通過した正当な紙幣は一時保留部４２に一時的に保管される。この一時保留部４２に保管可能な紙幣の枚数は、例えば、２００枚であり、この保管可能な紙幣の枚数が、紙幣の入金限度枚数とほぼ同量である。尚、鑑別部４１で正当な紙幣と鑑別できない紙幣は、紙幣投入出口５へ返却される。
【００５０】
上位ホスト１２に送信した返済要求が許可されると、一時保管されている紙幣は、一時保留部４２から金庫へ移される。金庫は、１万円札を収納するスタッカ４３と、千円札を収納するスタッカ４４及びリジェクト部４５から構成されている。リジェクト部４５には、利用者への返金には使用しない５千円札、２千円札、出金時の多重繰出等の鑑別不良や利用者が取り忘れた紙幣が収納される。
【００５１】
以上説明した鑑別部４１、一時保留部４２、スタッカ４３，４４、及びリジェクト部４５により、図２中の紙幣ユニット２２が構成されている。図２中の硬貨ユニット２１の構成は、紙幣ユニット２２の構成とほぼ同様であるので説明を省略する。
【００５２】
次に、従来の住宅ローン返済処理のシーケンスチャートを示している図９に沿って、従来の住宅ローン返済処理について説明する。
【００５３】
従来の図示しない自動取引装置１Ａのタッチパネル６に、図３（ａ）に示されたような「取引種別選択画面」が表示されている時に、利用者が「住宅ローン返済」キーをタッチすると、自動機制御部３０が判断し、タッチパネル６上に、図３（ｃ）に示されたような「カード挿入画面」を表示する。利用者がカードを挿入すると、カード／レシートユニット２３がカードのＭＳに記録された情報を読み取り、読み取ったＭＳ情報に基づいて自動機制御部３０が判断し、口座番号、暗証番号等の情報がＯＫであれば、タッチパネル６上に、図４（ａ）に示されたような「暗証番号入力画面」を表示する。利用者が４桁の暗証番号を入力すると、自動取引装置１Ａは、タッチパネル６上に、図３（ｄ）に示されたような「ローン取引選択画面」を表示する。タッチパネル６に、図３（ｄ）に示されたような「ローン取引選択画面」が表示されている時に、利用者が「ローン残高照会」キーにタッチすると、自動取引装置１Ａからホスト１２に対して、図示しないローン残高照会電文が送信される。
【００５４】
ホスト１２は、例えば、住宅ローンの残高が利用者の口座元帳に記憶されている場合、住宅ローン残高照会電文中の口座情報（店番号、口座番号、科目等）に基づいて、口座元帳記憶部１４に記憶された住宅ローン残高を照会し、例えば、残高１２５０万円の住宅ローン残高応答電文を自動取引装置１Ａに返信する。
【００５５】
自動取引装置１Ａは、タッチパネル６に、図示しない「返済金額入力画面」を表示する。タッチパネル６に、図示しない「返済金額入力画面」が表示されている時に、利用者が、テンキーにタッチして、返済を希望する返済金額を入力すると、判定部３２が、入金制限金額未満かを判定する。例えば、希望返済額が１２５０万円である場合は、例えば、２００万円の入金限度額（万券２００枚の入金限度枚数）を超えているので、自動機制御部３０は、タッチパネル６に「１回の入金限度枚数は、万券２００枚です」といった操作ガイドの文字を表示する。
【００５６】
利用者が、紙幣投入出口４から１万円札２００枚を投入すると、自動取引装置１Ａからホスト１２へ住宅ローン返済電文が送信される。ホスト１２は、自動取引装置１Ａに取引許可の電文を返信する。自動取引装置１Ａは、利用者にレシートを印字出力すると共にカードを返却し、入金限度額２００万円（入金限度枚数２００枚）の１回の住宅ローン返済の処理を終了する。
【００５７】
利用者が、残高１２５０万円の全額の返済を希望する場合は、入金限度額２００万円（入金限度枚数２００枚）の１回の住宅ローン返済の処理を６回繰り返した後、７回目に５０万円（１万円札５０枚の入金）の住宅ローン返済の処理をする必要があった。
【００５８】
従来の住宅ローン返済処理では、入金限度額（入金限度枚数）を超えた繰上返済の手続きが利用者にとって煩雑であった。又、利用者が入金限度額（入金限度枚数）を超えた繰上返済の手続きをしている間、自動取引装置１Ａを占有するため、他の利用者の待ち時間が長くなった。更に、１回の取引毎に手数料がかかる場合には、１回で取引したいという利用者の意に反して複数回分の手数料がかった。
【００５９】
そこで、従来の住宅ローン返済処理の課題を解決する本発明について、以下説明する。
（II）  本発明の住宅ローン返済処理の概略
本発明の実施形態の住宅ローン返済処理のシーケンスチャートを示している図１０に沿って、本発明の住宅ローン返済処理の概略について説明する。
【００６０】
本発明の実施形態の住宅ローン返済処理において、自動取引装置１のタッチパネル６に、図３（ａ）に示された「取引種別選択画面」が表示されている時に、利用者が「住宅ローン返済」キーをタッチすると、自動機制御部３０が判断し、タッチパネル６上に、図３（ｃ）に示されたような「カード挿入画面」を表示する。
【００６１】
利用者がカードを挿入すると、タッチパネル６上に、図４（ａ）に示されたような「暗証番号入力画面」を表示する。利用者が４桁の暗証番号を入力すると、自動取引装置１は、タッチパネル６上に、図３（ｂ）に示されたような「住宅ローン取引選択画面」を表示する。本発明の自動取引装置１のタッチパネル６上には、従来の自動取引装置１Ａのタッチパネル６上に表示されていた図３（ｄ）の「ローン取引選択画面」に替えて、図３（ｂ）の「住宅ローン取引選択画面」が表示されている。即ち、本発明の「住宅ローン取引選択画面」には、従来の「住宅ローン返済」キーに加え「繰上返済」キーが表示されている。
【００６２】
自動取引装置１を用いて、従来の「住宅ローン返済」も可能であるが説明は省略する。
タッチパネル６上に、図３（ｂ）の「住宅ローン取引選択画面」が表示されている時に、利用者が、「住宅ローン残高照会」キーにタッチすると、自動取引装置１からホスト１２に対して、残高照会電文が送信される。残高照会電文は、例えば、電文種別０１、店番号００１、口座番号０１２３４５、科目０１、暗証番号７７８９である。ホスト１２は、残高照会電文中の店番号、口座番号等に基づいて、口座元帳記憶部１４に記憶された住宅ローン残高を照会し、例えば、残高１２５０万円の残高応答電文を自動取引装置１に返信する。残高応答電文は、例えば、電文種別１１、ローン残高12,000,000である。
【００６３】
自動取引装置１は、タッチパネル６に、図６（ｂ）に示されたような「現金投入画面」を表示する。「現金投入画面」には、例えば、「万券２００枚×６回、万券５０枚×１回を投入下さい」という操作ガイドが表示される。タッチパネル６に、図６（ｂ）に示された「現金投入画面」が表示されているときに、表示されている金種の「確認」キーにタッチすると、自動取引装置１からホスト１２に対して、入金実行電文が送信される。入金実行電文は、例えば、電文種別：２０、店番号：００１、口座番号：０１２３４５、科目：普通、ローン返済金額12,000,000である。ホスト１２は、入金実行電文中の店番号、口座番号、科目等に基づいて、口座元帳記憶部１４に記憶された住宅ローン残高を照会し、ローン返済金額が住宅ローン残高以下であれば、入金実行許可電文を自動取引装置１に返信する。入金実行許可電文は、例えば、電文種別：２１、ローン返済金額12,500,000である。
【００６４】
紙幣投入出口５から、１万円札２００枚の１回目の紙幣が投入されると、１万円札２００枚を一時保留部４２に保留し、自動取引装置１から上位ホスト１２へ入金電文（継続）が送信される。入金電文（継続）は、例えば、電文種別：３０、入金額2,000,000（２００万円）、継続・完了０である。「継続・完了」は、「継続」＝０、「完了」＝１とする。ホスト１２は、入金電文（継続）中の金額と継続・完了０とを確認し、入金継続確認電文を自動取引装置１に返信する。入金継続確認電文は、例えば、電文種別３１、入金額2,000,000（２００万円）、継続・完了０である。入金継続確認電文を受信すると、自動取引装置１の自動機制御部３０は、一時保留部４２に保留してある２００枚の１万円札をスタッカ４３へ搬送する。
【００６５】
紙幣投入出口５から、１万円札２００枚の紙幣が２回、３回、４回、５回、６回と投入される度に、その度に、２００枚の１万円札が１回目に投入されたときと同様に、１万円札２００枚を一時保留部４２に保留し、自動取引装置１から上位ホスト１２へ入金電文（継続）を送信する。ホスト１２から入金継続確認電文が返信されると、その都度、自動機制御部３０は、一時保留部４２に保留してある２００枚の１万円札をスタッカ４３へ搬送する。
【００６６】
そして、紙幣投入出口５から、１万円札５０枚の紙幣が７回目に投入されると、１万円札５０枚を一時保留部４２に保留し、自動取引装置１から上位ホスト１２へ入金電文（完了）が送信される。入金電文（完了）は、例えば、電文種別３０、入金額500,000（５０万円）、継続・完了１である。ホスト１２は、入金電文（完了）中の入金額と継続・完了１とを確認し、入金完了確認電文を自動取引装置１に返信する。入金完了確認電文は、例えば、電文種別３１、入金額500,000（５０万円）、継続・完了１である。
【００６７】
ホスト１２から入金完了確認電文が返信されると、自動機制御部３０は、一時保留部４２に保留してある５０枚の１万円札をスタッカ４３へ移し、カード／レシートユニット２３は、レシートを印字し、カードを返却して、取引を終了する。
【００６８】
尚、投入された紙幣を鑑別部４１で、鑑別／計数した結果、１回の投入紙幣が枚数に満
たない場合は、例えば「万券、１０枚が不足しています」というメッセージを表示して、
紙幣を追加投入を促し、異なる金種／枚数オーバの時は、その旨を表示して紙幣を紙幣投
入出口５へ返却する。
【００６９】
以上、入金された紙幣の金種は１万円札のみであるとして説明したが、入金された紙幣
に、１万円札以外の他の金種、例えば、５千円札、２千円札、千円札が含まれている場合
について説明する。ホスト１２から入金完了確認電文が返信されると、自動機制御部３０
は、一時保留部４２に保留してある５千円札及び２千円札をリジェクト部４５へ移し、１
万円札をスタッカ４３へ移し、千円札をスタッカ４４へ移し、カード／レシートユニット
２３は、レシートを印字し、カードを返却して、取引を終了する。５千円札及び２千円札
は利用者への返金には使用しないため、リジェクト部４５へ移すようにしている。
【００７０】
尚、一連の取引でスタッカ４３に紙幣が収納された後、更なる紙幣の投入がない場合、
既に投入された紙幣は返却しないため、例えば、「お取引が中止されました。窓口にお越
しください。」と画面に表示して、カードを返却後、取引を終了する。この場合は、利用
者は、後日窓口対応する必要があるが、ホスト１２は返済済の金額を把握しているため、
利用者への返金等が可能になる。
【００７１】
（III）  本発明の住宅ローン返済処理の詳細
図１１〜図１６は、本発明の実施形態の繰上返済の処理のフローチャート（その１〜その６）を示している。タッチパネルの画面表示例を表す図３〜図７を参照しつつ、図１１〜図１６の流れに沿って、本発明の住宅ローン返済処理について詳細に説明する。
【００７２】
図１１において、処理が開始されると、ステップＳ１へ進み、タッチパネル６上に、図３（ａ）に示された「取引種別選択画面」を表示し、ステップＳ２へ進む。ステップ２において、タッチパネル６上の取引キーがタッチされると、ステップＳ３へ進む。ステップＳ３において、タッチパネル６上に表示されている「取引種別選択画面」（図３（ａ））中の「住宅ローン返済」キー以外の取引キーがタッチされると（Ｎｏ）、ステップＳ４に進み、「住宅ローン返済」キーがタッチされると（Ｙｅｓ）、ステップＳ５に進む。
【００７３】
ステップＳ４において、住宅ローン返済以外のその他の取引、例えば、残高照会の処理が行われ、ステップＳ４の処理が終了すると、「１」へ戻る。
【００７４】
ステップＳ５に進むと、タッチパネル６上に、図３（ｂ）に示された「ローン取引選択画面」を表示し、ステップＳ６へ進む。ステップＳ６において、取引キーがタッチされると、ステップＳ７へ進む。
【００７５】
ステップＳ７において、タッチパネル６上の「ローン取引選択画面」の取引キーのうち「繰上返済」キー以外のキーがタッチされると（Ｎｏ）、ステップＳ８に進み、「繰上返済」キーがタッチされると（Ｙｅｓ）、ステップＳ９に進む。ステップＳ８において、繰上返済以外の例えば、住宅ローン残高照会の処理が行われ、処理が終了すると、「１」へ戻る。
【００７６】
ステップＳ９に進むと、タッチパネル６上に、図３（ｃ）に示された「カード挿入画面」を表示し、ステップＳ１０へ進む。ステップＳ１０において、カードが挿入されるのを待って、カードが挿入されると（Ｙｅｓ）、図１２の「Ａ」に進む。
【００７７】
図１２の「Ａ」からステップＳ１１へ進むと、タッチパネル６上に、図４（ａ）に示された「暗証番号入力画面」を表示し、ステップＳ１２へ進む。ステップＳ１２において、４桁の暗証番号が入力されるのを待って、４桁の暗証番号が入力されると（Ｙｅｓ）、ステップＳ１３へ進む。
【００７８】
ステップＳ１３において、自動機制御部３０は、残高照会電文を生成し、ステップＳ１４へ進む。ステップＳ１４に進むと、タッチパネル６上に、図４（ｂ）に示された「コンピュータ照会中画面」を表示し、ステップＳ１５へ進む。ステップＳ１５において、自動取引装置１とホスト１２との間で、残高照会のホスト通信処理が行われ、ステップＳ１６へ進む。ステップＳ１６において、ホスト１２からの残高応答電文を受信するのを待って、応答電文を受信すると、図１３の「Ｂ」へ進む。
【００７９】
図１３の「Ｂ」からステップＳ１７へ進むと、タッチパネル６上に、図５（ａ）に示された「繰上返済金額入力画面」を表示し、ステップＳ１８へ進む。ステップＳ１８において、タッチパネル６上の「円」キーがタッチされたか否かが判定され、「円」キーがタッチされると（Ｙｅｓ）、ステップＳ２２に進み、「円」キーがタッチされずに所定時間が経過すると、ステップＳ１９に進む。ステップＳ１９において、図５（ａ）に示された「繰上返済金額入力画面」上の「訂正」キーが所定時間内にタッチされると（Ｙｅｓ）、ステップＳ２０へ進み、「訂正」キーが所定時間内にタッチされないと（Ｎｏ）、ステップＳ１８に戻る。
【００８０】
ステップＳ２０に進むと、入力金額データをクリアし、ステップＳ２１に進む。ステップＳ２１に進むと、タッチパネル６上に、図５（ｂ）に示された「繰上返済金額再入力画面」を表示し、ステップＳ１８へ戻る。
【００８１】
ステップＳ２２に進むと、タッチパネル６上に、図５（ａ）に示された「繰上返済金額入力画面」又は図５（ｂ）に示された「繰上返済金額再入力画面」が表示されている所定期間内に、現金投入済か否かは判定され、硬貨投入出口４及び紙幣投入出口５から、現金投入されると（Ｙｅｓ）、ステップＳ２３に進み、所定期間内に現金投入がされないときは（Ｎｏ）、ステップＳ１８に戻る。
【００８２】
ステップＳ２３に進むと、タッチパネル６上に、図５（ｃ）に示された「繰上返済金額確認画面」を表示し、ステップＳ２４へ進む。ステップＳ２４において、所定期間内に「訂正」キーがタッチされると（Ｙｅｓ）、「３」へ戻り、所定期間内に「訂正」キーがタッチされないと（Ｎｏ）、ステップＳ２５に進む。ステップＳ２５において、所定期間内に「確認」キーがタッチされないと（Ｎｏ）、ステップＳ２４に戻り、「確認」キーがタッチされると（Ｙｅｓ）、図１４の「Ｃ」に進む。
【００８３】
図１４の「Ｃ」からステップＳ２６へ進むと、入金実行電文を生成し、ステップＳ２７に進む。ステップＳ２７に進むと、タッチパネル６上に、図４（ｃ）に示された「コンピュータ照会中画面」を表示し、ステップＳ２８へ進む。ステップＳ２８において、自動取引装置１からホスト１２に、入金実行許可のホスト通信処理が行われ、ステップＳ２９に進む。ステップＳ２９において、自動取引装置１が応答電文を受信すると（Ｙｅｓ）、ステップＳ３５に進む。
【００８４】
ステップＳ３５に進むと、タッチパネル６上に、図６（ａ）に示された「繰上返済金額確認画面」を表示し、ステップＳ３６に進む。ステップＳ３６において、図６（ａ）の「繰上返済金額確認画面」上の「確認」キーがタッチされるのを待って、タッチされると（Ｙｅｓ）、ステップＳ３７に進む。
【００８５】
ステップＳ３７に進むと、タッチパネル６上に、図６（ｂ）に示された「現金投入画面」を表示し、ステップＳ３８に進む。図６（ｂ）には、紙幣投入金枚数と投入回数の例として、「万券２００枚×６回、万券５０枚×１回」が表示されている。ステップＳ３８において、図１中の紙幣投入口の紙幣シャッタを開き、図１５の「Ｄ」に進む。
【００８６】
図１５の「Ｄ」からステップＳ３９に進むと、所定時間内に紙幣入出金部２１が紙幣投入済か否かを判定し、紙幣投入済であれば（Ｙｅｓ）、ステップＳ４０に進み、所定時間内に紙幣投入済でなければ（Ｎｏ）、ステップＳ４２に進む。ここでの所定時間は、他人に紙幣を抜き取られる等の事故を防止する時間、例えば、１分間に設定される。
【００８７】
ステップＳ４０において、紙幣シャッタオープンか否かが判定され、オープンであれば（Ｙｅｓ）、ステップＳ４２に進み、オープンでなければ（Ｎｏ）、ステップＳ４１に進む。ステップＳ４１において、紙幣投入出口４の紙幣シャッタを閉じると共に、投入された紙幣の計数を開始し、ステップＳ４２に進む。ステップＳ４２において、投入枚数の計数が完了したか否かが判定され、完了しないときは（Ｎｏ）、ステップＳ３９に戻り、完了したときは（Ｙｅｓ）、ステップＳ４３に進む。
【００８８】
ステップＳ４３において、図２中の算出部３３は、従前の累積入金額に、今回投入された入金金額を加算して最新の累積入金金額を算出し、ステップＳ４４に進む。ステップＳ４４において、算出部３３は、繰越返済金額からステップＳ４３で算出した最新の累積入金金額を減じて、残入金金額を算出し、ステップＳ４５に進む。
【００８９】
ステップＳ４５に進むと、タッチパネル６上に、図６（ｃ）に示された「金額確認画面」を表示し、ステップＳ４６に進む。ステップＳ４６において、図６（ｃ）の「金額確認画面」中の「確認」キーがタッチされるのを待って、タッチされると（Ｙｅｓ）、図１６の「Ｅ」に進む。
【００９０】
図１６の「Ｅ」からステップＳ５１に進むと、ステップＳ５１〜Ｓ５６のホスト通信処理が行われる。先ず、ステップＳ５１において、図２中の自動機通信部３５が入金電文を作成し、ステップＳ５２へ進む。ステップＳ５２に進むと、図４（ｃ）の「コンピュータ照会中画面」を表示し、ステップＳ５３に進む。ステップＳ５３において、自動取引装置１とホスト１２の間でのホスト通信処理が行われ、ステップＳ５４に進む。ステップＳ５４において、自動取引装置１は、ホスト１２からの入金確認の応答電文を受信するのを待って、応答電文を受信すると、ステップＳ５５に進む。
【００９１】
ステップＳ５５において、一時保留部４２に保留してある紙幣をスタッカ４３等に移す現金格納処理が行われ、ステップＳ５６に進む。ステップＳ５６において、図２中の判定部３２は、累積入金金額が繰上返済金額に達したか否かを判定し、達していれば（Ｙｅｓ）、ステップＳ６１に進み、未満であれば（Ｎｏ）、図１４の「４」を介してステップＳ３７に戻る。ステップＳ５６において、累積入金金額が繰上返済金額に達するまで、ステップＳ３７〜Ｓ４６、及びステップＳ５１〜Ｓ５５の処理を繰り返す。具体的には、例えば、万札２００枚の投入６回と、万札５０枚の投入１回の投入と並行してステップＳ３７〜Ｓ４６、及びステップＳ５１〜Ｓ５５の処理が繰り返されると、ステップＳ５６において、累積入金金額が１２５０万円となり、繰上返済金額１２５０万円に達することになる。
【００９２】
ステップＳ６１に進むと、レシートを印字し、ステップＳ６２に進む。ステップＳ６２に進むと、タッチパネル６上に、図７（ａ）の「カード返却画面」を表示し、ステップＳ６３に進む。ステップＳ６３において、カードが抜き取られるまで待って、媒体が抜き取られると（Ｙｅｓ）、ステップＳ６４に進む。ステップＳ６４に進むと、タッチパネル６上に、「ありがとうございました」の文字が表示された図７（ｂ）の「取引終了画面」を表示し、図１１中の「１」に戻る。
【００９３】
（実施形態の効果）
本発明の実施形態によれば、自動取引装置のハードウェアを変更することなく、入金制限金額を超える高額の返済取引が一回の取引で可能となり、入金制限金額を超える高額の返済取引を望む顧客のサービスの向上、利便性の向上に繋がる。
【００９４】
更に、入金制限金額を超える高額の返済取引が、自動取引装置から１回の取引で可能となるので、利用者が入金制限金額を超える高額の返済取引をする場合に従来、自動取引装置でかかっていた取引時間が大幅に短縮できるので、他の利用者の待ち時間が短縮され、他の利用者のサービスの向上、利便性の向上に繋がる。
【００９５】
（変形例）
本発明の実施形態の説明では、住宅ローンの繰上返済を例にして説明したが、利用者は個人に限定されず、本発明は、法人の構成員でもよく、住宅ローン以外の各種ローンについての繰上返済に対しても適用が可能である。
【００９６】
本発明の自動取引システムは、自動取引装置と上位ホストとがネットワークを介して通信可能に接続されていると説明したが、ネットワーク以外の通信回線、例えば、無線LAN（Local Area Network）等により接続されたものであっても良い。。
【００９７】
当業者は、特許請求の範囲に明確に記載した本発明の範囲から逸脱することなく、様々な変更、追加、省略をすることができるであろう。
【符号の説明】
【００９８】
１    自動取引装置
２    通帳挿入部
３    カード挿入部
４    硬貨投入出口
５    紙幣投入出口
６    顧客操作部（タッチパネル）
１０    自動取引システム
１１    ネットワーク
１２    ホストコンピュータ（ホスト）
１３    ホスト制御部
１４    口座元帳記憶部
１５    ホスト通信部
２１    硬貨ユニット
２２    紙幣ユニット
２３    カード／レシートユニット
２４    通帳ユニット
３０    自動機制御部
３１    検出部
３２    判定部
３３    算出部
３４    制御部
３５    自動機通信部
４１    鑑別部
４２    一時保留部
４３    スタッカ（万券）
４４    スタッカ（千券）
４５    リジェクト部
【図１】
0006263116.tif 000002
【図２】
0006263116.tif 000003
【図３】
0006263116.tif 000004
【図４】
0006263116.tif 000005
【図５】
0006263116.tif 000006
【図６】
0006263116.tif 000007
【図７】
0006263116.tif 000008
【図８】
0006263116.tif 000009
【図９】
0006263116.tif 000010
【図１０】
0006263116.tif 000011
【図１１】
0006263116.tif 000012
【図１２】
0006263116.tif 000013
【図１３】
0006263116.tif 000014
【図１４】
0006263116.tif 000015
【図１５】
0006263116.tif 000016
【図１６】
0006263116.tif 000017